(57)【要約】      （修正有）【課題】タンクの上部（屋上）からタンク壁面にある突起に取り付け可能な足場治具を提供する。【解決手段】内部が中空な縦フレーム２と、縦フレームと直角に接合された水平フレーム５と、水平フレームの下面と縦フレームと接合する補強フレーム６を有し、縦フレームの上部と下部に爪３、４を設け、縦フレームの内部に下部の爪と連結されて上下に移動可能なスライド軸１１と、縦フレームの上部を貫通しスライド軸に螺合するボルト１０を有し、ボルトの回転によって下部の爪を上下に移動させる。【選択図】図３
0003175964.tif 000002
【実用新案登録請求の範囲】
【請求項１】
内部が中空な縦フレームと、前記縦フレームと直角に接合された水平フレームと、前記水平フレームの下面と前記縦フレームと接合する補強フレームを有し、前記縦フレームの上部と下部に爪を設け、前記縦フレームの内部に前記下部の爪と連結されて上下に移動可能なスライド軸と、前記縦フレームの上部を貫通し前記スライド軸に螺合するボルトを有し、前記ボルトの回転によって前記下部の爪を上下に移動させることを特徴とする足場治具。
【請求項２】
前記縦フレームの下部に、前記下部の爪が挿入される縦スリットを有することを特徴とする請求項１に記載の足場治具。
【請求項３】
前記水平フレームの端部に鉛直に、頂部にリングを有する安全ポールを設けたことを特徴とする請求項１乃至２に記載の足場治具。
【考案の詳細な説明】
【技術分野】
【０００１】
本考案は、仮設の足場治具に関し、詳しくは、足場設置場所の上方から足場設置作業が可能な仮設足場治具に関する。
【背景技術】
【０００２】
原子力発電所や核燃料処理設備等には放射性の廃棄物などが収納されたタンクがある。このタンクは、他の設備と同様に経年劣化などに備えて防錆や塗装などの作業を定期的に実施する必要があるが、作業員の放射線被爆を最低限に抑えるために足場組立などの作業時間を極力短縮することが求められている。ところが、タンクの設置場所によっては、地上からの足場組立が十分に行えないような狭隘な場所があったり、その他の種々の制約のため地上からの足場組立に長時間を要する場所もある。
【０００３】
そのため、放射線の強度が比較的低いタンクの上部（屋上）からの作業によって短時間に足場設置を行うニーズがあり、そのための仮設の足場治具が求められていた。通常、タンク壁面には補強リング、トラニオン、フランジなどの突起物があることも多く、今回その突起物を利用することで足場の設置が可能な仮設足場治具を考案した。
【０００４】
特許文献１及び特許文献２には、図７及び図８に示すように、鉄骨に足場を吊り下げるための金具として、鉄骨の水平なフランジ縁部を挟んで爪（締付体）がボルトによってスライドする機構を有する金具、及び前記金具に連結して足場が吊り下げ可能な治具が開示されている。しかし、この金具を取り付けるには鉄骨の取り付け位置まで作業員が近づきボルト締めを行う必要があり、高所の取り付け場所においては足場を設置するための更なる足場が必要となる。
【先行技術文献】
【特許文献】
【０００５】
【特許文献１】実開平５−８５９３６号公報
【特許文献２】実開平６−７８４９４号公報
【考案の概要】
【考案が解決しようとする課題】
【０００６】
本考案は、タンクの上部（屋上）からタンク壁面にある突起に取り付け可能な足場治具を提供することを課題としている。
【課題を解決するための手段】
【０００７】
上記課題を解決するため本考案は、足場治具を構成する内部が中空な縦フレームと、前記縦フレームと直角に接合された水平フレームと、前記水平フレームの下面と前記縦フレームと接合する補強フレームを有し、前記縦フレームの上部と下部に爪を設け、前記縦フレームの内部に前記下部の爪と連結されて上下に移動可能なスライド軸と、前記縦フレームの上部を貫通し前記スライド軸に螺合するボルトを有し、前記ボルトの回転によって前記下部の爪を上下に移動させることを特徴とする。
これにより、タンクの壁面にある突起に前記上部の爪を引っ掛けた後、縦フレームの上部にあるボルトを長尺レンチ等で回転させることで下部の爪を上昇させて突起物を挟み込み、突起物に足場治具を固定できる。また、前記水平フレームを利用して、その上に足場板を設置可能となるため、タンクの上部からの作業のみで足場を設置することが可能となる。
【０００８】
また、前記縦フレームの下部に、前記下部の爪が挿入される縦スリットを有することを特徴とする。
これにより、下部の爪が縦スリットによって回転方向の動きが制約されるため前記スライド軸が前記ボルトの回転に伴って共回りすることを防ぎ、前記ボルトの回転が前記スライド軸の上下移動に無駄なく伝わるため、前記縦スリットに沿って下部の爪が上下移動することができる。
【０００９】
さらに、前記水平フレームの端部に鉛直に、頂部にリングを有する安全ポールを設けたことを特徴とする。
これにより、安全ロープ等を複数の前記足場治具のリングを通して張り渡すことが可能となり、防護柵を構成して作業者の落下を防止できる。
【考案の効果】
【００１０】
本考案によれば、高所に足場を設置する際に、地上から足場材を組み立てる必要が無く、短時間で足場設置が可能であり、また、地上近辺に障害物があっても支障なく足場設置が可能となる。
【図面の簡単な説明】
【００１１】
【図１】本考案の足場治具の構成を示す正面図。
【図２】本考案の足場治具の構成を示す側面図。
【図３】本考案の足場治具の構成を示す正面図。
【図４】本考案の実施例を示す概要図。
【図５】本考案の実施例を示す概要図。
【図６】本考案の実施例を示す概要図。
【図７】従来技術の足場治具を示す概要図。
【図８】従来技術の足場治具を示す概要図。
【考案を実施するための形態】
【００１２】
以下、図に基づいて本考案の実施例を説明する。
図１及び図２は本考案の足場治具１を示す正面図及び側面図である。縦フレーム２の上部と下部にそれぞれ上爪３、下爪４が設けられている。上爪３は前記縦フレーム２に溶接あるいはボルト締結等により固定されているが、下爪４は前記縦フレーム２の内部に収納されたスライド軸１１と連結され、スライド軸１１とともに上下に移動可能となっている。すなわち、前記縦フレーム２の上部を貫通するボルト１０がスライド軸１１の頂部に取り付けられたナット１２に螺合し、ボルト１０の回転によってスライド軸１１が上下に移動するよう構成されている。
【００１３】
縦フレーム２の下部には前記下爪４が挿入される縦スリット（図示せず）が設けられ、下爪４の回転を防止するため、前記ボルト１０の回転に伴ってスライド軸１１と下爪４が供回りすることを防いでいる。なお、縦フレーム２の底部には底部開口部を塞ぐストッパー（図示せず）があり、下爪４を下げる際にボルト１０を回転させすぎてボルト１０とナット１２の螺合がはずれてもスライド軸１１と下爪４が落下しないようになっている。
【００１４】
前記スライド軸１１の上昇は前記下爪４が前記縦スリットの端部に到達したところが限界となるが、下降の際は前記スライド軸１１が前記ストッパーに到達したところが限界となる。更に下降方向にボルト１０の回転を続けると、ボルト１０が縦フレーム２の上部から突出し始め、いずれボルト１０とナット１２の螺合が外れてしまうため、ボルト１０の長さ方向で色などを付けておいて作業者がボルトの突出状況を視認できるようにしても良い。
【００１５】
水平フレーム５は足場板を載せるためのものであり、加重に対して十分な強度を持たせるため、補強フレーム６によって斜めにサポートされている。
図３に示すように、水平フレーム５の端部には安全ポール１３を設置可能であり、これにより足場板（図示せず）が縦フレーム２と反対方向の端部からずれて落下することを防止するほか、リング１４を通して安全ロープなどを張り渡すことにより、作業員の落下を防ぐことも可能となる。なお、安全ポール１３は水平フレーム５に溶接によって固定されていても良いが、安全ポール１３の底部にネジを設け、さらに水平フレーム５の安全ポール取り付け部にもネジ穴を設けてネジによる脱着可能な構造としても良い。この構造によると、縦フレーム及び横フレームから安全ポール１３を分離でき、作業終了時の足場治具の保管の際に省スペースとなる利点がある。
【００１６】
図４は作業員がタンク２０の上部からロープ２２を用いて足場治具１を降下させ、タンク壁面の突起部２１に足場治具１の上爪３を引っ掛けたところを示している。水平フレーム５及び補強フレーム６の重量により上爪３を軸として足場治具１全体が下方に回転するように力が働くため、水平フレーム５側のロープ２２を緩めることで下爪４が突起部２１の下側に入り込む。次いで、図５に示すように上爪３、下爪４が突起部２１を挟んだ状態で、長尺レンチ２３によってボルト１０を回転させ、下爪４を上昇させて突起部２１を上下の爪３，４で挟み込んで足場治具１を突起部２１に固定する。
【００１７】
図６は上記の足場治具１の設置作業を繰り返して複数の足場治具１を設置した後、同様にタンク２０の上部からロープ等を用いて足場治具１の上に足場板２４を吊り下げて設置し、更に安全ポール１３のリング１４に安全ロープ２５を張り渡した様子を示している。これにより、作業員は短時間でタンク壁面に足場を設置することが可能となり、作業時に受ける放射線被爆を抑制することができる。
【符号の説明】
【００１８】
１…足場治具、２…縦フレーム、３…上爪、４…下爪、５…水平フレーム、６…補強フレーム、１０…ボルト、１１…スライド軸、１２…ナット、１３…安全ポール、１４…リング、２０…タンク、２１…突起部、２２…ロープ、２３…長尺レンチ、２４…足場板、２５…安全ロープ。
【図１】
0003175964.tif 000003
【図２】
0003175964.tif 000004
【図３】
0003175964.tif 000005
【図４】
0003175964.tif 000006
【図５】
0003175964.tif 000007
【図６】
0003175964.tif 000008
【図７】
0003175964.tif 000009
【図８】
0003175964.tif 000010